(57)【要約】      （修正有）【課題】異なる種類の画像撮影装置に適用でき、また、信号の減衰等の多用途機能がある撮影光箱の改良構造を提供する。【解決手段】光箱本体と光源とがあり、光箱本体には、収納空間が凹設され、前記収納空間内には、画像撮影装置のレンズを嵌入するための嵌入口が、設けられ、また、光箱本体内には、被写体が置き入れられ、画像撮影装置は、被写体を撮影して、画像を生成し、画像撮影装置には、それぞれに、内部電源ソケットと内部信号線ソケットに接続される、電源線と信号線があり、また、光箱本体の表面には、電源ソケットと、内部信号線を接続するための信号線ソケットとが設けられ、電源ソケットは、電源を提供する外部電源ソケットに接続され、信号線ソケットは、コンピュータに接続され、また、画像撮影装置が被写体を撮影するための光線を提供する光源があり、そして、制御装置を介して、内部電源ソケットや光源と電源ソケットが接続される。【選択図】図2
0003106528.tif 000002
【実用新案登録請求の範囲】
【請求項１】
少なくとも一つの収納空間が凹設され、当該収納空間内には嵌入口が開設され、表面上には、それぞれに、外部電源ソケットと一コンピュータに接続される、少なくとも一つの電源ソケットと少なくとも一つの信号線ソケットが設置され、また、被写体を置き入れるための開口が開設される光箱本体と、
当該光箱本体内に設置され、光箱本体内部に必要とする光線を提供する光源と、
がある、
ことを特徴とする、撮影光箱の改良構造。
【請求項２】
更に、電源線と信号線がある画像撮影装置を有し、当該画像撮影装置は当該収納空間内に設置され、また、当該画像撮影装置のレンズは、当該嵌入口を通して当該光箱本体内部へ向かって、当該被写体を撮影して画像を生成し、当該電源線と当該信号線は、当該画像撮影装置に対して、電源を提供し、当該画像を制御と当該コンピュータに伝送する、ことを特徴とする、請求項１記載の撮影光箱の改良構造。
【請求項３】
更に、少なくとも一つの内部電源ソケットがあり、当該光箱本体の当該収納空間内に設置され、当該画像撮影装置の当該電源線が当該内部電源ソケット上に接続することに供される、ことを特徴とする、請求項2記載の撮影光箱の改良構造。
【請求項４】
更に、開口があり、当該光箱本体上に設置され、当該信号線は、当該開口を通して当該コンピュータに接続される、ことを特徴とする、請求項１記載の撮影光箱の改良構造。
【請求項５】
当該光源は当該光箱本体の底部に設置される、ことを特徴とする、請求項１記載の撮影光箱の改良構造。
【請求項６】
更に、中空蓋体があり、当該光箱本体上に設置されて、当該収納空間を形成する、ことを特徴とする、請求項１記載の撮影光箱の改良構造。
【請求項７】
当該信号線は、通常のユニバーサルシリアルバス（USB）やRS232或いは高速ユニバーサルシリアルバス（IEEE1394）のいずれかの一つである、ことを特徴とする、請求項１記載の撮影光箱の改良構造。
【請求項８】
当該画像撮影装置はディジタルカメラとビデオカメラとのいずれかの一つである、ことを特徴とする、請求項2記載の撮影光箱の改良構造。
【請求項９】
更に、固定帯があり、当該光箱本体上に設置され、当該画像撮影装置を固定する、ことを特徴とする、請求項2記載の撮影光箱の改良構造。
【請求項１０】
更に、固定帯があり、当該収納空間内に設置され、当該画像撮影装置を固定する、ことを特徴とする、請求項2記載の撮影光箱の改良構造。
【請求項１１】
更に、少なくとも一つの緩衝物があり、当該収納空間内に設置される、ことを特徴とする、請求項1記載の撮影光箱の改良構造。
【請求項１２】
更に、固定座があり、当該収納空間内に設置される、ことを特徴とする、請求項1記載の撮影光箱の改良構造。
【請求項１３】
当該固定座は、少なくとも二つの移動ブロックからなり、当該移動ブロックは当該収納空間内に設置され、当該移動ブロックは当該嵌入口に接近できる、ことを特徴とする、請求項12記載の撮影光箱の改良構造。
【請求項１４】
当該移動ブロックは、横方向に移動や縦方向に移動或いは径方向に移動のいずれかの一つで、当該嵌入口に接近する、ことを特徴とする、請求項13記載の撮影光箱の改良構造。
【請求項１５】
当該移動ブロックは一組の回転機構により回転して、当該嵌入口に接近する、ことを特徴とする、請求項13記載の撮影光箱の改良構造。
【請求項１６】
更に、ガードレールがあり、当該光箱本体内かつ当該収納空間下に設置され、当該画像撮影装置は当該ガードレールにより固定高度に移動して、当該画像撮影装置は当該光箱本体内で当該被写体の側面から撮影する、ことを特徴とする、請求項2記載の撮影光箱の改良構造。
【考案の詳細な説明】
【技術分野】
【０００１】
本考案は、撮影光箱に関し、特に、撮影光箱の改良構造に関する。
【背景技術】
【０００２】
いろいろの商品や実物を完全に消費者に見せるために、明白的かつ正しい色を持つ写真を撮影することが必要であり、そのため、撮影技術が大切であり、一般に、室内で商品を撮影する時、室内に撮影する必要のないものがあるし、また、室内の光線がいろんな方向から来るので、撮影した写真は、理想的ではないから、撮影光箱は、少しずつメーカに受け入れられ、それは、よりよい商品写真が、更に消費者の視線を吸引でき、メーカに、商機が与えられるためである。
【０００３】
従来の撮影光箱は、光箱と画像撮影装置とが別々にあるものであり、光箱と画像撮影装置とを一体に統合し、光箱上の信号線ソケットや開口を介して、直接にコンピュータと接続されて、コンピュータにより、光源と撮影装置の電源を制御するものはない。また、従来の撮影光箱には、１種類のディジタルカメラしか適用できず、同一の撮影光箱には、異なる種類のディジタルカメラが適用できないし、また、ディジタルカメラを固定位置の固定架上に固定することや、ディジタルカメラをケージ上に取り付け、撮影光箱上を立って位置を移動しながら撮影することが必要であり、また、従来の撮影光箱は、商品写真を撮影する商業用途にしか使用できない。
【０００４】
本考案は、上記の問題を解決するため、上記の欠陥を改善できる撮影光箱の改良構造を提案した。
【考案の開示】
【考案が解決しようとする課題】
【０００５】
本考案の主な目的は、内部電源ソケットと内部信号線ソケットを使用することにより、電源線と信号線とは、光箱本体内部において、整列的であり、また、ハブを使うための制御装置と画像撮影装置との信号減衰するやコンピュータが点灯できない或いは画像撮影装置をサーチできない問題が避けられる、撮影光箱の改良構造を提供する。
【０００６】
本考案の他の目的は、移動可能や回転可能な固定座でレンズを固定することにより、異なる種類の画像撮影装置は、ともに撮影光箱上に設置でき、同一の撮影光箱が、異なる種類の画像撮影装置に適用される、撮影光箱の改良構造を提供する。
【０００７】
本考案の更の他の目的は、画像撮影装置の電源線と信号線が、直接に収納空間内の内部電源ソケットと内部信号線ソケットに接続されることにより、直接に外部電源ソケットとコンピュータ上に接続せず、また、内部信号線ソケットを使用せず、画像撮影装置の信号線は、信号ソケットを介して、間接にコンピュータと接続される或いは、開口を介して直接にコンピュータと接続される、撮影光箱の改良構造を提供する。
【０００８】
本考案の更にほかの目的は、画像撮影装置が収納空間内の嵌入口に嵌入されることにより、画像撮影装置を固定位置の固定架上に固定する必要がない、また、画像撮影装置をケージ上に取り付け撮影光箱上を立って撮影する必要がない、撮影光箱の改良構造を提供する。
【０００９】
本考案の更に他の目的は、光源設置が光箱本体の底部に置かれ、また、Ｘ線フィルムを光箱本体の底部に置き、画像撮影装置により、Ｘ線フィルムを撮影して、ディジタル画像を生成する、多用途の撮影光箱の改良構造を提供する。
【００１０】
より好ましいのは、当該適合ベースには、例えば、接続や挿或いは係合素子が設けられて、分離可能な方式(detachable)で、当該モジュール本体と接続させ、これにより、両者の電気信号端子セットが、互いに緊密に当接でき、また、別に、冶具を設置して、当該モジュール本体と適合ベースとを接続させることもいい。メンテナンスする時、治具や係合を取り外すだけで、モジュール本体を取り出して交換や点検ができる。
【課題を解決するための手段】
【００１１】
本考案は、上記の目的を達成するために、光箱本体と光源とがあり、光箱本体には収納空間が凹設され、前記収納空間内には嵌入口が設けられ、光箱本体の表面上には、それぞれに、外部電源ソケットと一コンピュータに接続される、電源ソケットと少なくとも信号線ソケットが設置され、また、光箱本体上には被写体を置き入れるための開口が開設され、また、嵌入口内に画像撮影装置のレンズが嵌入され、画像撮影装置には電源線と信号線があり、また、画像撮影装置のレンズが光箱本体内部に向かいて被写体を撮影して画像を生成し、また、電源線と信号線は画像撮影装置に電源を提供し、当該画像を制御と伝送し、また、光箱本体内かつ収納空間内には画像撮影装置の電源線が内部電源ソケットに接続されるための内部電源ソケットがあり、また、画像撮影装置が被写体を撮影するための光線を提供する光源がある、撮影光箱の改良構造を提供する。
【考案の効果】
【００１２】
市販画像撮影装置の様式とレベルの変化が速いため、本考案によれば、異なる様式の画像撮影装置が、同一撮影光箱を使え、また、撮影光箱と画像撮影装置とを統合することにより、高品質の撮影画像がより普及化でき、また、少なくとも一つの信号線ソケットを設置するため、画像撮影装置と光源とが、それぞれに、制御装置を介して、コンピュータと接続することに、有利であり、これにより、画像撮影装置と光源がハブを介して一つの信号線を共用するため、信号が減衰することは、防止でき、そして、コンピュータが画像撮影装置をサーチできないことと、光源を駆動できないことという問題を改善でき、また、収納空間内に内部電源ソケットと内部信号線ソケットが設置されることにより、異なるメーカの画像撮影装置は、電源に接続することができ、また、信号線が、直接コンピュータに接続されず、内部信号線ソケットに接続され、また、画像撮影装置のレンズが嵌入口を通して、画像撮影装置を所定の位置にある固定架上に固定されることや、ケージで撮影光箱上に立って撮影することはなく、また、移動可能や回転可能な固定座を組み合わせると、異なる種類の画像撮影装置に適用でき、また、光源は、光箱本体の底部に設置され、また、画像撮影装置でｘ線フィルムのディジタル画像を撮影するため、病者のＸ線フィルムの画像が長持ちで、検視もより便利である。
【考案を実施するための最良の形態】
【００１３】
以下、図面を参照しながら実施例を詳しく説明することにより、本考案の目的や技術内容、特徴及び達成効果が理解される。
図1は、撮影光箱の外観概念図であり、図2は、撮影光箱の上面図であり、本考案の撮影光箱の改良構造において、撮影光箱20には、光箱本体202があり、光箱本体202上に、収納空間204が凹設され、また、上記収納空間204内に、嵌入口206が開設され、或いは、第3図のように、収納空間内204にも、凹槽207が開設され、凹槽207内には、嵌入口206が開設され、また、光箱本体202の表面上には、電源ソケット208と少なくとも一つの信号線ソケット210或いは開口が設置され、電源ソケット208と信号線ソケット210には、それぞれ、外部電源ソケット212とコンピュータ214が接続され、また、光箱本体202上には、被写体（図中未表示）を置き入れるための開口が開設され、嵌入口206内には、上方から置かれるや下方から嵌入される。
【００１４】
例えば、ディジタルカメラやビデオカメラ等の撮影可能器材である画像撮影装置216があり、画像撮影装置216のレンズは、光箱本体202の内部へ向かって被写体を撮影して画像を生成し、また、画像撮影装置216には、電源線218と信号線220があり、電源線218と信号線220は、画像撮影装置216に電源を提供し、被写体の画像を制御と伝送し、また、内部電源ソケット222と内部信号線ソケット224に接続され、内部信号線ソケット224は、更に、信号線225を介して、信号線ソケット210に接続され、また、内部信号線ソケット224を設置せず、光箱本体202上に開口を開設することにより、信号線220は、開口を介して、直接にコンピュータ214上に接続されてもいいし、また、光箱本体202の内部には、光源226と、例えば制御カードである制御装置228が設置され、光源226は、画像撮影装置216が被写体を撮影する時の光線を提供し、制御装置228は、電源線230、232、234を介して、内部電源ソケット222、電源ソケット208と光源226に接続され、また、制御信号線229を介して、信号線ソケット210に接続され、上記の信号線220、225と制御信号線229は、通常のユニバーサルシリアルバス（USB）やRS232或いは高速ユニバーサルシリアルバス（IEEE1394）である。
【００１５】
また、次のように、光源226を光箱本体202の底部に設置して、Ｘ線フィルムを光箱本体202の底部に置き、光源226の光線と画像撮影装置216を利用して、Ｘ線フィルムを撮影して、Ｘ線フィルムのディジタル画像を生成して、その画像をコンピュータ214へ伝送して観察され、これは、医療用途上にも使われ、これにより、病者のＸ線フィルムの画像は、長持ちでき、また、Ｘ線フィルムを閲覧することができる。
【００１６】
また、収納空間204上には、蓋板（図中未表示）が覆われ、また、前記蓋板の大きさは、収納空間204の大きさと等しいか、より小さいのであり、これにより、収納空間204が封止状態になるか、或いは、収納空間204の一部が露出する半開放になり、或いは、中空蓋体（図中未表示）を設置して、光箱本体202上に設置されることにより、収納空間204を形成し、或いは、開口上に遮光布を覆い、光線のリークを防止する。
【００１７】
また、光箱本体202上や収納空間204内に、収納空間204を跨る固定帯（Strap）を設置し、粘着や係合等の方式で、画像撮影装置216を嵌入口206を嵌入する時、画像撮影装置216を固定し、或いは、収納空間204内に、材質が発泡体等の緩衝効果のある材質である、多数の緩衝物234を設置して、図4のように、先に、緩衝物237上に同心円柄239を表示し、画像撮影装置216のレンズのサイズに対応して、自分で円孔を開設し、レンズを、開設した円孔内へ嵌入して嵌入口を貫通し、また、予めに、固定孔を形成するか、画像撮影装置216のレンズのサイズに対応して自分で開口を開設し、画像撮影装置216が当該嵌入口206に嵌入する時、レンズを固定し、また、図5のように、カメラ本体202内にガードレール235を設置し、画像撮影装置216を下へガードして所定の高さに固定し、画像撮影装置216は、被写体に対して、側面から撮影することができる。
【００１８】
また、撮影光箱20が、異なる種類の画像撮影装置216のレンズに適用されるため、収納空間204内に、移動や回転可能な固定座を設置して、レンズを固定し、固定座が接近すれば、異なるサイズのレンズを、安定的に固定座の中間に固定し、レンズを固定することにより、画像撮影装置216が、振り動かさないようになり、これにより、異なる種類の画像撮影装置216に適用でき、固定座は、移動可能式であり、図6の移動ブロックの概念図を参照しながら、レンズ固定用とする二つの移動ブロック236、238を、横方向へ移動させ、或いは、縦方向へ移動させて、嵌入口206、に接近させるか、或いは、図7のように、固定座は、四つの移動ブロック240、242、244、246からなり、四つの移動ブロック240、242、244、246は、径方向移動で、嵌入口206に接近するか、或いは、図8のように、一組の回転機構で移動ブロック248、250、252、254を回転させて、嵌入口206に接近して、レンズを固定する。
【００１９】
以上は、実施例を利用して、本考案の特点を説明したが、その目的は、当該技術の熟練者に本考案の内容を理解させ、其れに従って実施するものであり、本考案の実用新案登録請求の範囲を制限するものではなく、他の、本考案の精神に反しない等価な変化や修正も、実用新案登録請求の範囲に含まれている。
【図面の簡単な説明】
【００２０】
【図１】本考案の外観概念図である。
【図２】本考案の上面図である。
【図３】緩衝物上に表示される同心円柄の概念図である。
【図４】本考案のレンズモジュールの立体分解図である。
【図５】本考案のカメラ本体内に設置されたガードレールの一部の側面図である。
【図６】本考案の移動ブロックの移動概念図である。
【図７】本考案の移動ブロックの他の移動概念図である。
【図８】本考案の移動ブロックの更の他の移動概念図である。
【符号の説明】
【００２１】
20撮影光箱                  202光箱本体
204収納空間                 206嵌入口
207凹槽          
208電源ソケット
210信号線ソケット           212外部電源ソケット
214コンピュータ          
216画像撮影装置
218電源線        
220信号線
222内部電源ソケット         224内部信号線ソケット
225信号線        
226光源
228制御装置                 229制御信号線
230、232、234電源線
235ガードレール
236、237、238、239、240、241、242、243、244、245、246、247、248、249、250、251、252、253、254移動ブロック
237緩衝物        
239同心円柄
【図１】
0003106528.tif 000003
【図２】
0003106528.tif 000004
【図３】
0003106528.tif 000005
【図４】
0003106528.tif 000006
【図５】
0003106528.tif 000007
【図６】
0003106528.tif 000008
【図７】
0003106528.tif 000009
【図８】
0003106528.tif 000010